(57)【要約】      （修正有）【課題】ろ過経路の長さを増加できて水のろ過効果を改善でき、且つ水管の直径に応じて配管の接続が行なえる吸い上げポンプのろ過構造の提供。【解決手段】動力源に駆動される羽根車１４が水を吸い上げポンプ１の吸入端１２から排出端１１へ流動させ、前記吸い上げポンプの排出端にある排出口１１１にはろ過装置２が組み付けてあり、ろ過装置の本体内にろ過材２０を設けることにより構成され、その両端には、出口ジョイント２２と、入り口ジョイント２３とがそれぞれ螺着してあり、前記入り口ジョイントが吸い上げポンプの排出端に結合される。【選択図】図１
0003131893.tif 000002
【実用新案登録請求の範囲】
【請求項１】
主に、排出端と、吸入端と、前記排出端に設けられた排出口と、前記吸入端に設けられた吸入口と、を含む吸上げポンプに組み付けられる吸い上げポンプのろ過構造であって、
動力源により駆動される羽根車が水を吸い上げポンプの吸入端から排出端へ流動させ、
前記吸い上げポンプの排出端にある排出口にはろ過装置が組み付けてあり、
前記ろ過装置は、本体内にろ過材を設けることにより構成され、
その両端には、出口ジョイントと、入り口ジョイントとがそれぞれ螺着してあり、
前記入り口ジョイントが吸い上げポンプの排出端に結合されることを特徴とする、
吸い上げポンプのろ過構造。
【請求項２】
前記排出端にある排出口には、ろ過装置を一つ以上組み付け、互いに隣接する前記ろ過装置は、スリーブにより出口ジョイントと入り口ジョイントとを連接して連通状態にすることを特徴とする、請求項１に記載の吸い上げポンプのろ過構造。
【請求項３】
主に、排出端と、吸入端と、前記排出端に設けられた排出口と、前記吸入端に設けられた吸入口と、を含む吸上げポンプに組み付けられる吸い上げポンプのろ過構造であって、
動力源に駆動される羽根車が水を吸い上げポンプの吸入端から排出端へ流動させ、
前記吸い上げポンプの吸入端にある吸入口にはろ過装置が組み付けてあり、
前記ろ過装置は、本体内にろ過材を設けることにより構成され、
その両端には、出口ジョイントと、入り口ジョイントとがそれぞれ螺着してあり、
前記出口ジョイントが吸い上げポンプの吸入端に結合されることを特徴とする、
吸い上げポンプのろ過構造。
【請求項４】
前記吸入端にある吸入口には、ろ過装置を一つ以上組み付け、互いに隣接する前記ろ過装置は、スリーブにより出口ジョイントと入り口ジョイントとを連接して連通状態にすることを特徴とする、請求項３に記載の吸い上げポンプのろ過構造。
【請求項５】
主に、排出端と、吸入端と、前記排出端に設けられた排出口と、前記吸入端に設けられた吸入口と、を含む吸上げポンプに組み付けられる吸い上げポンプのろ過構造であって、
動力源に駆動される羽根車が水を吸い上げポンプの吸入端から排出端へ流動させ、
前記吸い上げポンプの吸入端にある吸入口と、排出端にある排出口とにはろ過装置がそれぞれ組み付けてあり、
前記ろ過装置は、本体内にろ過材を設けることにより構成され、
その両端には、出口ジョイントと、入り口ジョイントとがそれぞれ螺着してあり、
前記入り口ジョイントが吸い上げポンプの排出端に結合され、前記出口ジョイントが吸い上げポンプの吸入端に結合されることを特徴とする、
吸い上げポンプのろ過構造。
【請求項６】
前記排出端にある排出口と、前記吸入端にある吸入口とには、ろ過装置をそれぞれ一つ以上組み付け、互いに隣接する前記ろ過装置は、スリーブにより出口ジョイントと入り口ジョイントとを連接して連通状態にすることを特徴とする、請求項５に記載の吸い上げポンプのろ過構造。
【考案の詳細な説明】
【技術分野】
【０００１】
本考案は、吸い上げポンプのろ過構造に係り、特に、水の吸上げとろ過とを同時に実施可能な吸い上げポンプのろ過構造に関するものである。
【背景技術】
【０００２】
現在、一般の家やビルには水を貯蔵する貯水タンクが設けてある。
水の使用量が多すぎる場合には、水圧が小さくなる。このとき、水を屋上に設けられる貯水タンクまで送ることができなくなる。
この問題を解決するために、水を屋上の貯水タンクまで吸上げ可能な吸上げポンプを設置することが一般になっている。
しかしながら、水質が十分に清潔ではないので、吸上げポンプ内にフィルタを設けた製品が提案されている。
従来の吸上げポンプは、モータに駆動される羽根車がハウジング内の適当な箇所に枢着されている。
ハウジングの吸入端と排出端とには入り口と出口とがそれぞれ設けてあり、前記吸入端と前記排出端とがそれぞれ伸びてスリーブになっている。
前記二つのスリーブの末端がそれぞれ前記入り口と前記出口であり、これらの各スリーブにフィルタが設けられている。
従来の吸上げポンプは、モータを稼動して羽根車を回転駆動することにより、水が入り口から吸入されて出口から排出される。
このとき、水が前記した二つのフィルタによりろ過される。
しかしながら、上記したろ過構造によれば、吸上げポンプに設置された二つのフィルタのろ過経路が短すぎるので、水のろ過効果が良くない。
【０００３】
また、一般の家やビルにおいては水の使用量が異なることに伴い、使用される水管の直径が異なる。
そのため、水管を配管するときには、吸上げポンプと水管の接続とは同じ直径の継ぎ手で接続しないと、水圧が降下する虞がある。
水圧の低下を避けるために、配管前に接続しようとする水管の直径を調査することが必要であり、また継ぎ手の直径を間違ったときには、水圧が異常になり、且つ配管作業も実施できないといった不具合がある。
【考案の開示】
【考案が解決しようとする課題】
【０００４】
本考案の主な目的は、ろ過経路の長さを増加できて水のろ過効果をもっと改善でき、且つ家やビルの水管の直径に応じて適当なジョイントを採用して接続できる、吸い上げポンプのろ過構造を提供することにある。
【課題を解決するための手段】
【０００５】
上記目的を達成するためになされた本願の第１考案は、主に、排出端と、吸入端と、前記排出端に設けられた排出口と、前記吸入端に設けられた吸入口と、を含む吸上げポンプに組み付けられる吸い上げポンプのろ過構造であって、動力源に駆動される羽根車が水を吸い上げポンプの吸入端から排出端へ流動させ、前記吸い上げポンプの排出端にある排出口にはろ過装置が組み付けてあり、前記ろ過装置は、本体内にろ過材を設けることにより構成され、その両端には、出口ジョイントと、入り口ジョイントとがそれぞれ螺着してあり、前記入り口ジョイントが吸い上げポンプの排出端に結合されることを特徴とする吸い上げポンプのろ過構造であることを要旨としている。
【０００６】
本願の第２考案では、前記排出端にある排出口には、ろ過装置を一つ以上組み付けてもよく、互いに隣接する前記ろ過装置は、スリーブにより出口ジョイントと入り口ジョイントとを連接して連通状態になることを特徴とする前記第１考案に記載の吸い上げポンプのろ過構造であることを要旨としている。
【０００７】
本願の第３考案では、主に、排出端と、吸入端と、前記排出端に設けられた排出口と、前記吸入端に設けられた吸入口と、を含む吸上げポンプに組み付けられる吸い上げポンプのろ過構造であって、動力源に駆動される羽根車が水を吸い上げポンプの吸入端から排出端へ流動させ、前記吸い上げポンプの吸入端にある吸入口にはろ過装置が組み付けてあり、前記ろ過装置は、本体内にろ過材を設けることにより構成され、その両端には、出口ジョイントと、入り口ジョイントとがそれぞれ螺着してあり、前記出口ジョイントが吸い上げポンプの吸入端に結合されることを特徴とする吸い上げポンプのろ過構造であることを要旨としている。
【０００８】
本願の第４考案では、前記吸入端にある吸入口には、ろ過装置を一つ以上組み付けてもよく、互いに隣接する前記ろ過装置は、スリーブにより出口ジョイントと入り口ジョイントとを連接して連通状態になることを特徴とする前記第３考案に記載の吸い上げポンプのろ過構造であることを要旨としている。
【０００９】
本願の第５考案では、主に、排出端と、吸入端と、前記排出端に設けられた排出口と、前記吸入端に設けられた吸入口と、を含む吸上げポンプに組み付けられる吸い上げポンプのろ過構造であって、動力源に駆動される羽根車が水を吸い上げポンプの吸入端から排出端へ流動させ、前記吸い上げポンプの吸入端にある吸入口と、排出端にある排出口とにはろ過装置がそれぞれ組み付けてあり、前記ろ過装置は、本体内にろ過材を設けることにより構成され、その両端には、出口ジョイントと、入り口ジョイントとがそれぞれ螺着してあり、前記入り口ジョイントが吸い上げポンプの排出端に結合され、前記出口ジョイントが吸い上げポンプの吸入端に結合されることを特徴とする吸い上げポンプのろ過構造であることを要旨としている。
【００１０】
本願の第６考案では、前記排出端にある排出口と、前記吸入端にある吸入口とには、ろ過装置をそれぞれ一つ以上組み付けてもよく、互いに隣接する前記ろ過装置は、スリーブにより出口ジョイントと入り口ジョイントとを連接して連通状態になることを特徴とする前記第５考案に記載の吸い上げポンプのろ過構造であることを要旨としている。
【考案の効果】
【００１１】
本考案の吸い上げポンプのろ過構造によれば、次のような効果がある。
（イ）吸上げポンプの排出端や吸入端、または排出端および吸入端にろ過装置を組み付けることでろ過経路の長さを増加できることから、従来と比較して水のろ過効果を格段に改善することができる。
【００１２】
（ロ）吸上げポンプの排出端や吸入端、または排出端および吸入端にろ過装置をそれぞれ複数個に組み付けることにより、ろ過経路の長さを増加できるので、水のろ過効果がさらに良くなる。
【００１３】
（ハ）ジョイントの両端をそれぞれ小径ジョイントと大径ジョイントとにすることにより、ユーザの家やビルの水管の直径に応じて適当なジョイントを採用して接続することができる。
【考案を実施するための最良の形態】
【００１４】
以下、添付図面を参照して本考案の好適な実施の形態を詳細に説明する。
【００１５】
まず、吸い上げポンプの分解斜視図を示した図１を参照しながら、本考案の吸い上げポンプのろ過構造について説明する。
吸い上げポンプ１は、主に、排出端１１と、吸入端１２と、前記排出端１１に設けられた排出口１１１と、前記吸入端１２に設けられた吸入口１２１と、を有し、動力源１３に駆動される羽根車１４が水を吸い上げポンプの吸入端１２から排出端１１へ流動させる。
【００１６】
前記吸い上げポンプ１の排出端１１にある排出口１１１、又は吸入端１２にある吸入口１２１には一つ以上のろ過装置２が組み付けてある。
図２に示すように、ろ過装置２は、本体２１内にろ過材２０を設けることにより構成される。
ろ過装置２の両端には、出口ジョイント２２と、入り口ジョイント２３とがそれぞれ螺着してある。前記出口ジョイント２２と前記入り口ジョイント２３とはそれぞれ前記排出端１１と前記吸入端１２とに結合される。
【００１７】
また、図３を参照する。図３は本考案の実施例１の分解斜視図である。
本実施例の組付方法は、吸い上げポンプ１の排出端１１にある排出口１１１にろ過装置２を組付ける場合を示す。
すなわち、前記ろ過装置２の入り口ジョイント２３を吸い上げポンプ１の排出端１１に組付ける。
【００１８】
また、図４を参照する。図４は本考案の実施例２の分解斜視図である。
本実施例の組付方法は、吸い上げポンプ１の吸入端１２にある吸入口１２１にろ過装置２を組付ける場合を示す。
すなわち、前記ろ過装置２の出口ジョイント２２を吸い上げポンプ１の吸入端１２に組付ける。
【００１９】
また、図５を参照する。図５は本考案の実施例３の断面概略図である。
本実施例の組付方法は、吸い上げポンプ１の吸入端１２にある吸入口１２１と、吸い上げポンプ１の排出端１１にある排出口１１１とにろ過装置２をそれぞれ組付ける場合を示す。
すなわち、前記ろ過装置２の入り口ジョイント２３を吸い上げポンプ１の排出端１１に組付け、且つろ過装置２の出口ジョイント２２を貯水タンクと接続している水管Ａに接続する。そして前記ろ過装置２の出口ジョイント２２を吸い上げポンプ１の吸入端１２に組付け、且つろ過装置２の入り口ジョイント２３を水供給源と接続した水管Ａに接続する。
水は、水供給源の水管Ａからろ過装置２を通過して、吸上げポンプ１の吸入端１２から吸上げポンプ１に吸入されて、吸上げポンプ１の排出端１１に設けられたろ過装置２を通過することにより、水がろ過されて清浄水となる。
したがって、貯水タンクには清浄化された水を流入させることができる。
【００２０】
また、図６を参照する。図６は本考案の実施例４の分解斜視図である。
本実施例のように、吸上げポンプ１の排出端１１、又は吸上げポンプ１の吸入端１２に、複数個のろ過装置２を組み付けてもよい。
また互いに隣接するように複数のろ過装置２を組み付ける場合は、スリーブ３によって各ろ過装置２の出口ジョイント２２と入り口ジョイント２３との間を連通状態にするように接続するとよい。
【００２１】
また、図７を参照する。図７は本考案の実施例５の分解斜視図である。
本実施例は、吸上げポンプ１の排出端１１にアダプター４を組み付けたものである。
アダプター４は、吸上げポンプ１の排出端１１の寸法に対応する入り口ジョイント４１と、貯水タンクと接続している水管Ａの寸法に対応する、大径ジョイント４２と、小径ジョイント４３と、を有する。
そして前記アダプター４には水圧を測定するための圧力ゲージ４４が設けてある。
また、図８と図９を参照しながら実施例５の組付方法を詳細に説明する。
前記アダプター４の入り口ジョイント４１を吸上げポンプ１の排出端１１に組み付ける。
図８に示すように、貯水タンクと接続している水管Ａが小径である場合には、前記アダプター４の大径ジョイント４２を閉塞して、貯水タンクと接続している水管Ａを小径ジョイント４３に接続する。
逆に、図９に示すように、貯水タンクと接続している水管Ａが大径である場合には、前記アダプター４の入り口ジョイント４１を吸上げポンプ１の排出端１１に組み付けて、前記アダプター４の小径ジョイント４３を閉塞して、貯水タンクと接続している水管Ａを大径ジョイント４２に接続する。
なお、本例においても既述した実施の形態と同様に、吸上げポンプ１の排出端１１側、又は吸上げポンプ１の吸入端１２側に、単数、または複数のろ過装置２を組み付けることは同様であるので、その説明を省略する。
吸上げポンプ１の排出端１１側に、単数、または複数のろ過装置２を組み付ける場合、アダプター４を介して組み付けることになる。
【００２２】
以上は本考案の実施の形態を説明するための記載であって、本考案を限定するものではなく、この分野の通常の知識を有する者が本考案の精神および範囲を逸脱しない範囲で行なう実施例の変更、追加、または削除は本考案に当然に含まれるものである。
【図面の簡単な説明】
【００２３】
【図１】本考案の分解斜視図である。
【図２】本考案のろ過装置の分解斜視図である。
【図３】本考案の実施例１の分解斜視図である。
【図４】本考案の実施例２の分解斜視図である。
【図５】本考案の実施例３の断面概略図である。
【図６】本考案の実施例４の断面概略図である。
【図７】本考案の実施例５の分解斜視図である。
【図８】本考案の実施例５の断面概略図１である。
【図９】本考案の実施例５の断面概略図２である。
【符号の説明】
【００２４】
Ａ        パイプ           
１        吸い上げポンプ
１１      排出端
１１１    排出口
１２      吸入端           
１２１    吸入口
１３      動力源           
１４      羽根車
２        ろ過装置         
２０      ろ過材
２１      本体             
２２      出口ジョイント
２３      入り口ジョイント          
３        スリーブ
４        アダプター                
４１      入り口ジョイント
４２      大径ジョイント   
４３      小径ジョイント
４４      圧力ゲージ
【図１】
0003131893.tif 000003
【図２】
0003131893.tif 000004
【図３】
0003131893.tif 000005
【図４】
0003131893.tif 000006
【図５】
0003131893.tif 000007
【図６】
0003131893.tif 000008
【図７】
0003131893.tif 000009
【図８】
0003131893.tif 000010
【図９】
0003131893.tif 000011